(57)【要約】【課題】外筒内における中空糸膜の偏在を抑制して、除湿効率の低下を防止する。【解決手段】除湿エレメント１は、一対のポッティング材５，６の間に形成されて高湿の被除湿エアを流通させる複数の中空糸膜３を収容する除湿用空間７と、除湿用空間７に被除湿エアよりも低湿のパージエアを供給するための給気孔３５と、除湿用空間７に供給されたパージエアを排出するための排気孔３６とを備えている。この除湿用空間７には、軸Ｌ方向から見たときに、筒状ケース２内に複数の領域を形成するように配置されたガイド部材４７が設けられており、複数の中空糸膜３が、複数の領域にそれぞれ分配された状態で除湿用空間７に収容されている。【選択図】図４
2018075513.tif 000002
【特許請求の範囲】
【請求項１】
軸方向の両端に筒開口部をそれぞれ有する中空の筒状ケースと、
該筒状ケース内にその軸方向に沿って収容され、被除湿エアを流通させるための複数の中空糸膜と、
それら中空糸膜の両端部が貫通して固定されると共に、上記筒状ケースの各筒開口部をそれぞれ閉塞する一対のポッティング材と、
上記筒状ケース内における一対のポッティング材の間に形成された除湿用空間と、
該除湿用空間に対してパージエアを供給するための給気孔と、
上記除湿用空間から上記パージエアを排出するための排気孔と、
を備えた除湿エレメントであって、
上記筒状ケース内における上記除湿用空間には、上記軸方向から見たときに複数の領域を形成するように配置されたガイド部材が設けられており、
上記複数の中空糸膜が、上記複数の領域にそれぞれ分配された状態で該除湿用空間に収容されている、
ことを特徴とするもの。
【請求項２】
請求項１に記載の除湿エレメントであって、
上記給気孔が上記除湿用空間における軸方向中央よりも一方のポッティング材側に開設され、上記排気孔が該除湿用空間における軸方向中央よりも他方のポッティング材側に開設されている、
ことを特徴とするもの。
【請求項３】
請求項２に記載の除湿エレメントであって、
上記給気孔及び排気孔は上記筒状ケースに開設されている、
ことを特徴とするもの。
【請求項４】
請求項１から３のいずれかに記載の除湿エレメントであって、
上記排気孔は、上記給気孔よりも大径である、
ことを特徴とするもの。
【請求項５】
請求項１から４のいずれかに記載の除湿エレメントであって、
複数の上記ガイド部材が、上記筒状ケースの軸方向から見たときに、放射方向に向けて配されている、
ことを特徴とするもの。
【請求項６】
請求項５に記載の除湿エレメントであって、
上記ガイド部材は、上記筒状ケースの軸方向に延設されたガイド板である、
ことを特徴とするもの。
【請求項７】
請求項６に記載の除湿エレメントであって、
上記給気孔と排気孔との対が、複数の上記ガイド板によって分けられた領域毎にそれぞれ開設されている、
ことを特徴とするもの。
【請求項８】
請求項７に記載の除湿エレメントであって、
上記複数のガイド板が、上記軸方向において上記除湿用空間全体に亘って延設されている、
ことを特徴とするもの。
【請求項９】
請求項１から８のいずれかに記載の除湿エレメントであって、
上記筒状ケース内に、両端に一対の管開口部をそれぞれ有する中空の内管が、上記軸方向に沿って収容されていて、
上記内管の両端部が、上記一対のポッティング材を貫通しており、
上記内菅と筒状ケースとの間に、上記除湿用空間が形成されている、
ことを特徴とするもの。
【請求項１０】
請求項１から９のいずれかに記載の除湿エレメントを有する除湿装置であって、
上記筒状ケースの軸方向の両端には、それぞれキャップ部材が取り付けられていて、
これらキャップ部材には、
上記被除湿エアを外部から入力するための導入ポートを有して、該被除湿エアを上記筒開口部の一方に対して供給する導入流路と、
除湿後の乾燥エアを外部へと出力するための導出ポートを有して、上記筒開口部の他方からの上記乾燥エアを上記導出ポートへと導く導出流路と、
該導出流路から分岐されて、上記乾燥エアの一部を上記パージエアとして上記給気孔に対して供給するパージ流路と、
が設けられていることを特徴とするもの。
【発明の詳細な説明】
【技術分野】
【０００１】
本発明は、中空糸膜を使用した除湿エレメント及びそれを有する除湿装置に関するものである。
【背景技術】
【０００２】
被除湿エアを除湿して流体圧機器等に供給するための除湿装置としては、上記被除湿エアを中空糸膜内に流通させて、その被除湿エアに含まれる水蒸気を上記中空糸膜の外側へと透過させると共に、その透過させた水蒸気をパージエアを用いて外部に排出することにより、該被除湿エアを除湿するものが従来から知られている。そして、その一例として、特許文献１や特許文献２には、除湿エレメントの筒状ケース内に複数の中空糸膜を収容し、この中空糸膜内に被除湿エアを流通させると共に、上記筒状ケース内にパージエアを給排することにより、被除湿エアを除湿する除湿装置が開示されている。
【０００３】
ところで、このような中空糸膜を使用した除湿装置において被除湿エアをより効率的に除湿するためには、パージエアと中空糸膜との接触面積をより大きく確保して、中空糸膜を透過した水蒸気をそのパージエアでより多く排出できることが望ましい。
しかしながら、特許文献１や特許文献２に開示されているような従来の除湿装置においては、一般的に、除湿エレメントの筒状ケース内に形成された断面が円形状や環状を成す除湿用空間に、上記複数の中空糸膜がまとめて捩じられた状態で収容されている。そのため、該筒状ケース内の除湿用空間において、撓んだ中空糸膜同士が互いに密着した状態で偏在し、それによりパージエアの流れにも偏りが生じがちである。そして、そのような状態が生ずると、パージエアと中空糸膜との接触面積を充分に確保することができなくなり、その結果、除湿効果も低下してしまう。
【先行技術文献】
【特許文献】
【０００４】
【特許文献１】実公平６−４１６２９号公報
【特許文献２】特開平１１−３３３３８号公報
【発明の概要】
【発明が解決しようとする課題】
【０００５】
そこで、本発明の技術的課題は、中空糸膜を使用した除湿エレメント及びそれを有する除湿装置において、筒状ケース内の除湿用空間における中空糸膜の偏在を抑制して、除湿効率の低下を防止することにある。
【課題を解決するための手段】
【０００６】
上記目的を達成するため、本発明に係る除湿エレメントは、軸方向の両端に筒開口部をそれぞれ有する中空の筒状ケースと、該筒状ケース内にその軸方向に沿って収容され、被除湿エアを流通させるための複数の中空糸膜と、それら中空糸膜の両端部が貫通して固定されると共に、上記筒状ケースの各筒開口部をそれぞれ閉塞する一対のポッティング材と、上記筒状ケース内における一対のポッティング材の間に形成された除湿用空間と、該除湿用空間に対してパージエアを供給するための給気孔と、上記除湿用空間から上記パージエアを排出するための排気孔と、を備えた除湿エレメントであって、上記筒状ケース内における上記除湿用空間には、上記軸方向から見たときに複数の領域を形成するように配置されたガイド部材が設けられており、上記複数の中空糸膜が、上記複数の領域にそれぞれ分配された状態で該除湿用空間に収容されていることを特徴とするものである。
【０００７】
上記除湿エレメントにおいて、好ましくは、上記給気孔が上記除湿用空間における軸方向中央よりも一方のポッティング材側に開設され、上記排気孔が該除湿用空間における軸方向中央よりも他方のポッティング材側に開設されている。この場合において、上記給気孔及び排気孔は上記筒状ケースに開設されていてもよい。
また、上記除湿エレメントにおいて、好ましくは、上記排気孔は、上記給気孔よりも大径である。
【０００８】
上記の除湿エレメントの好ましい実施形態においては、複数の上記ガイド部材が、上記筒状ケースの軸方向から見たときに、放射方向に向けて配されている。このとき、好ましくは、上記ガイド部材は、上記筒状ケースの軸方向に延設されたガイド板である。また、より好ましくは、上記給気孔と排気孔との対が、複数の上記ガイド板によって分けられた領域毎にそれぞれ開設されており、さらに好ましくは、上記複数のガイド板が、上記軸方向において上記除湿用空間全体に亘って延設されている。
【０００９】
なお、上記除湿エレメントにおいては、上記筒状ケース内に、両端に一対の管開口部をそれぞれ有する中空の内管が、上記軸方向に沿って収容されていて、上記内管の両端部が、上記一対のポッティング材を貫通しており、上記内菅と筒状ケースとの間に、上記除湿用空間が形成されていてもよい。
【００１０】
そして、上記除湿エレメントを有する除湿装置は、上記筒状ケースの軸方向の両端には、それぞれキャップ部材が取り付けられていて、これらキャップ部材には、上記被除湿エアを外部から入力するための導入ポートを有して、該被除湿エアを上記筒開口部の一方に対して供給する導入流路と、除湿後の乾燥エアを外部へと出力するための導出ポートを有して、上記筒開口部の他方からの上記乾燥エアを上記導出ポートへと導く導出流路と、該導出流路から分岐されて、上記乾燥エアの一部を上記パージエアとして上記給気孔に対して供給するパージ流路とが設けられていることを特徴とするものである。
【発明の効果】
【００１１】
本発明に係る除湿エレメント及びそれを有する除湿装置においては、筒状ケース内における除湿用空間に、該筒状ケースの軸方向から見たときに複数の領域を形成するように配置されたガイド部材が設けられており、被除湿エアを流通させるための複数の中空糸膜が、上記複数の領域にそれぞれ分配された状態で上記除湿用空間に収容されている。そのため、上記除湿用空間における中空糸膜の偏在を抑制して、パージエアと中空糸膜との接触面積をより大きく確保することが可能となり、その結果、除湿効率の低下を防止することができる。
【図面の簡単な説明】
【００１２】
【図１】本発明に係る除湿エレメントを有する除湿装置の概略的な断面図である。
【図２】本発明に係る除湿エレメントを有する除湿装置の概略的な要部断面図である。
【図３】本発明に係る除湿エレメントの中空糸膜とポッティング材を省略した斜視図である。
【図４】本発明に係る除湿エレメントの概略的な平面図である。
【図５】図４における概略的なＡ−Ｂ−Ｃ断面図である。
【図６】図５における概略的なＤ−Ｄ断面図である。
【発明を実施するための形態】
【００１３】
以下に、本発明に係る除湿エレメント１及び該除湿エレメント１を有する除湿装置５０の一実施形態について、図面を用いて詳細に説明する。
図１に示すように、本実施形態に係る除湿装置５０は、被除湿エアを除湿するための中空糸膜３を備えた除湿エレメント１と、該除湿エレメント１の軸方向の両端に、気密かつ着脱可能に取り付けられた第１キャップ部材５１及び第２キャップ部材５２とを有している。
【００１４】
第１キャップ部材５１には、導入ポート５３を有する導入流路５５と、導出ポート５４を有する導出流路５６とが形成されていて、外部から導入ポート５３に入力された高湿の被除湿エアが、上記導入流路５５を通じて上記除湿エレメント１へと供給され、そして、除湿エレメント１で除湿された乾燥エアが、上記導出流路５６を通じて上記導出ポート５４から外部へ出力されるようになっている。
【００１５】
また、図１及び図２に示すように、第１キャップ部材５１は、その側壁から垂下して、除湿エレメント１の一端側（図中上端側）の外周面、すなわち後述する筒状ケース２の一端側の外周面を気密に覆う環状の取付壁５７を一体に有している。そして、この取付壁５７と除湿エレメント１（筒状ケース２）との間には、導出流路５６から分岐されて上記乾燥エアの一部を、被除湿エアよりも低湿のパージエアとして、除湿エレメント１内に供給するための環状のパージ流路５８が形成されている。なお、導出流路５６とパージ流路５８との間には、導出流路５６からパージ流路５８に流通させるパージエアを、上記導出流路５６を流れる乾燥エアの圧力よりも下げるためのオリフィス５９、好ましくは可変オリフィスが配されている。
【００１６】
上記除湿エレメント１は、図３乃至図６に示すように、軸Ｌ方向に延びる中空の円筒形に形成され、その軸Ｌ方向両端の第１及び第２端部２３，２４に、第１及び第２筒開口部２１，２２をそれぞれ有する筒状ケース２と、該筒状ケース２内に上記軸Ｌ方向に沿って収容された複数の中空糸膜３と、上記筒状ケース２よりも小径の円筒形を成して該筒状ケース２内に同軸に収容され、その軸Ｌ方向両端の第１及び第２端部４３，４４に、第１及び第２管開口部４１，４２をそれぞれ有する中空の内管４とを備えている。すなわち、本実施形態において、上記第１及び第２筒開口部２１，２２は、上記筒状ケース２の第１端部２３と上記内菅４の第１端部４３との間、及び、該筒状ケース２の第２端部２４と該内管４の第２端部４４との間に、それぞれ環状に形成されている。
【００１７】
筒状ケース２の第１及び第２端部２３，２４には、上記第１及び第２筒開口部２１，２２に嵌合されてそれらを閉塞する断面環状の第１及び第２ポッティング材５，６がそれぞれ設けられている。第１ポッティング材５には、上記中空糸膜３の第１端部３３が軸Ｌ方向に貫通して上記第１筒開口部２１に至ることにより固定され、上記内管４の第１端部４３も同じく軸Ｌ方向に気密に貫通することにより固定されている。その一方で、第２ポッティング材６には、上記中空糸膜３の第２端部３４が軸Ｌ方向に貫通して上記第２筒開口部２１に至ることにより固定され、上記内管４の第２端部４４も同じく軸Ｌ方向に気密に貫通することにより固定されている。そして、径方向における筒状ケース２と内管４との間であって、軸Ｌ方向における第１ポッティング材５と第２ポッティング材６との間に形成された空間が、そこに収容された複数の中空糸膜３によって上記被除湿エアを除湿するための断面環状の除湿用空間７を成している。
【００１８】
また、上記筒状ケース２内の除湿用空間７には、ガイド部材４７としてのガイド板が複数（本実施形態では８枚）、放射状に配置されている。これらガイド部材４７は、上記空間７において、複数の中空糸膜３を複数の束に分けて位置決めして偏在することなく略均等に配置するためのもので、図６に示すように、この空間７を上記軸Ｌ方向から見たときに、該空間内７に周方向に沿って複数（本実施形態では８つ）の領域を形成している。
【００１９】
より具体的には、これらガイド板４７は、筒状ケース２の軸Ｌ方向を長手とし径方向を短手とする長方形に形成されていて、上記除湿用空間７全体を軸Ｌ方向から見たときに、等角度間隔で放射方向に配置され、実質的に等面積の扇状領域を複数（本実施形態では８つ）形成している。そして、上記複数の中空糸膜３が捩じりを加えていない略均等な束に分けられて、これら中空糸膜３の束が上記複数の領域にそれぞれ配置されている。また、これらガイド板４７の短手の幅は、上記筒状ケース２の内側壁と内管４の外側壁と間の距離よりも若干小さくなっていて、それにより、これらガイド板４７の幅方向両側端と上記筒状ケース２の内側壁及び内管４の外側壁との間には、それぞれ若干の隙間４９が形成されている。ただし、本実施形態のように、後述するパージエアの給気孔３５と排気孔３６との対が上記各領域にそれぞれ開設されているのであれば、この隙間４９は必ずしも形成されていなくてもよい。
【００２０】
本実施形態において、上記複数のガイド板４７の上記筒状ケース２及び内管４に対する取り付けは、上記筒状ケース２の第１及び第２端部２３，２４の内側壁にそれぞれ気密に嵌着された一対の外環リング２５ａ，２５ｂと、上記内管４の第１及び第２端部４３，４４の外側壁にそれぞれ気密に嵌着された一対の内環リング４５ａ，４５ｂとによって為されている。これら外環リング２５ａ，２５ｂの内周、及び、内環リング４５ａ，４５ｂの外周には、図４及び図５に示すように、周方向（軸Ｌ周り）に延びて上下方向（軸Ｌ方向）に並設された複数（本実施形態では２本）の環状溝２６ａ，４６ａと、上下方向に延びて周方向に並設された上記ガイド板４７と同数（本実施形態では８本）の位置決め溝２６ｂ，４６ｂとが、それぞれ形成されている。このとき、上記外環リング２５ａ，２５ｂ及び内環リング４５ａ，４５ｂの各位置決め溝２６ｂ，４６ｂは、上記軸Ｌを中心とした同じ角度位置に互いに対向してそれぞれ形成されている。
【００２１】
このような構成を有する外環リング２５ａ，２５ｂ及び内環リング２５ａ，４５ｂは、それらの環状溝２６ａ，４６ａに上記第１及び第２ポッティング材５，６が侵入して、該ポッティング材５，６に対し軸Ｌ方向に係止された状態で、その外周壁及び内周壁にそれぞれ嵌着されている。そして、図４及び図５に示すように、上記ガイド板４７の長手方向両端におけるポッティング材５，６に埋設された第１及び第２端部４７ａ，４７ｂの幅方向両側端が、上記外環リング２５ａ，２５ｂ及び内環リング４５ａ，４５ｂの各位置決め溝２６ｂ，４６ｂに嵌合され、それにより、これらガイド板７が、上述のように放射状に位置決めされた状態で、該ポッティング材５，６に対して固定されている。その結果、本実施形態においては、上記ガイド板４７が、除湿用空間７の軸Ｌ方向全体に亘って延設されてた状態となっている。
【００２２】
また、上記筒状ケース２の第１及び第２端部２３，２４の内側壁には、それぞれ環状段部２３ａ，２４ａが形成されていて、これら環状段部２３ａ，２４ａに上記外環リング２５ａ，２５ｂがそれぞれ嵌合されている。そうすることで、上記筒状ケース２内に収容された上記中空糸膜３やポッティング材５，６やガイド板４７等の内容物が、軸Ｌ方向において該筒状ケース２に対し固定されている。
なお、上記ガイド板４７は、例えば内管４と一体に形成されていてもよく、この場合、このような内環リング４５ａ，４６ｂは必ずしも設ける必要性はない。
【００２３】
さらに、上記除湿エレメント１には、上記パージ流路５８に接続されてパージエアを上記除湿用空間７に供給するための給気孔３５と、該除湿用空間７からの上記パージエアを外部に排出するための排気孔３６とが、上記除湿用空間７の軸Ｌ方向一端側と他端側とにそれぞれ開設されている。具体的には、これら給気孔３５及び導出孔３６は、上記筒状ケース２に開設されており、除湿エレメント１の軸Ｌ方向中央Ｏ（すなわち、除湿用空間７の軸方向中央Ｏ）と第１ポッティング材５との間、及び該中央Ｏと第２ポッテイング材６との間とにそれぞれ開設されている。
【００２４】
そして、上記導通孔３５及び排気孔３６の対が、上記筒状ケース２の周方向に等角度間隔（本実施形態では４５度間隔）で開設されていて、それにより、上記複数のガイド板４７によって上記除湿用空間７に形成された複数の領域（本実施形態では８つの領域）にそれぞれ設けられている。また、排気孔３６は給気孔３５よりも大径すなわち大面積に形成されていて、それにより、除湿用空間７内を流通するパージエアの圧力上昇を防止することができるようになっている。このように、上記オリフィス５９の作用と共に除湿用空間７内におけるパージエアの圧力をより低く保つことにより、中空糸膜３内を流通する被除湿エアの水蒸気を効率よく中空糸膜３の外側に透過させることが可能となり、その結果、除湿エレメント１の除湿効率が向上する。ただし、給気孔３５と排気孔３６の大きさは必ずしも異なっている必要性はなく、互いに同じ大きさであってもよい。
【００２５】
また、図１に示すように、上記内管４内には、上記第１及び第２キャップ部材５１，５２を上記除湿エレメント１に対して固定するための連結ロッド６１が軸方向に沿って挿通されており、この連結ロッド６１における軸Ｌ方向両端には、第１及び第２雄ネジ部６２，６３がそれぞれ形成されている。その一方で、上記第１キャップ部材５１には、その内面側に第１雌ネジ部６４が形成され、また、上記第２キャップ部材５２は環状に形成されていて、その中央の穴に、第２雌ネジ部６５を備えた締結ボルト６６の該雌ネジ部６５が挿通されている。そして、上記締結ロッド６１の第１雄ネジ部６２を上記第１雌ネジ部６４に螺合させると共に、第２雄ネジ部６３を上記第２雌ネジ部６５に螺合させて、上記締結ボルト６６で気密に締結することにより、上記第１及び第２キャップ部材５１，５２と除湿エレメント１とが共締めされている。
【００２６】
次に、この除湿装置５０内に形成された被除湿エア、除湿後の乾燥エア及びパージエアの流路構成、及びその作用効果について具体的に説明する。
上記第１キャップ部材５１に形成された導入流路５５は、上記除湿エレメント１に設けられた内管４の第１管開口部４１に対し接続されている。
その一方で、上記第２キャップ部材５２の内面側には凹部が形成されており、それによって形成された接続流路６０により、上記内管４の第２管開口部４２が、該第２管開口部４２と径方向において隣接して上記複数の中空糸膜３が開口した上記第２筒開口部２２に対し接続されている。
【００２７】
そして、同じく上記第１管開口部４１と径方向において隣接して上記複数の中空糸膜３が開口した上記第１筒開口部２１に対し、上記第１キャップ部材５１に形成された導出流路５６が接続されている。このとき、上記第１筒開口部２１と第１管開口部４１とは、上記第１キャップ部材５１によって気密に分離されている。
さらに、上述したように、上記導出流路５６から分岐されたパージ流路５８が、上記給気孔３５を通じて上記除湿用空間７に対し接続されており、また同時に、該除湿用空間７は、上記排気孔３６を通じて大気に開放されている。
【００２８】
このような流路構成を備えて成る上記除湿装置５０において、上記第１キャップ部材５１の導入ポート５３に接続された配管（図示省略）から、上記導入流路５５に流入した高湿の被除湿エアは、上記内管４を通じて上記第２キャップ部材５２の接続流路６０へと導かれる。
次に、この被除湿エアは、該接続流路６０で反転して上記除湿エレメント１の第２筒開口部２２から上記複数の中空糸膜３内へと導入され、これら中空糸膜３内を流れる間に、上記除湿用空間７において、これら中空糸膜３の周囲を流れるパージエアとの水蒸気分圧差（水蒸気の濃度差）によって除湿される。すなわち、上記水蒸気分圧差によって、上記複数の中空糸膜内の被除湿エアに含まれる水蒸気が該中空糸膜の外側へと透過し、その透過した水蒸気を上記パージエアが取り去ることで、該被除湿エアが除湿される。
【００２９】
そして、除湿後の乾燥エアが、上記除湿エレメント１の第１筒開口部２１から導出流路５６へと流出し、上記導出ポート５４に接続された配管（図示省略）を通じて所望の空圧機器等へと出力される。また、上記導出流路５６を流れる除湿後の乾燥エアの一部が、該導出流路５６から上記パージエアとして分岐され、上記オリフィス５９で減圧されたうえで、上記パージ流路５８及び給気孔３５を通じて上記除湿エレメント１の除湿用空間７内へと供給される。そして、そのパージエアは、該除湿用空間内を軸Ｌに沿って流通しながら、上記中空糸膜３の外側へと透過した上記被除湿エアの水蒸気を取り去ったうえで、上記排気孔３６を通じて大気へと排気される。
【００３０】
このとき、除湿用空間７は、放射状に配置された複数（本実施形態では８枚）のガイド板４７によって、それと同数（本実施形態では８つ）の領域に分けられており、該除湿用空間７において、上記複数の中空糸膜３が、これら領域のそれぞれに略均等に分配された状態で収容されている。そのため、上記除湿用空間７における中空糸膜３の偏在を抑制して、上記パージエアと中空糸膜３との接触面積をより大きく確保することが可能となる。その結果、上記中空糸膜３の外側へと透過した上記被除湿エアの水蒸気を、パージエアによってより効率よく取り去ることが可能となり、除湿効率の低下を防止することができる。しかも、上記ガイド板４７によって形成された各領域に、上記給気孔３５と排気孔３６との対をそれぞれ設けたため、パージエアの流れもより均一化され、上記水蒸気をさらに効率よく取り去って排出することが可能となる。
【００３１】
以上、本発明に係る除湿エレメント及びそれを用いた除湿装置について詳細に説明してきたが、本発明は上記の実施形態に限定されるものではなく、特許請求の範囲の趣旨を逸脱しない範囲で様々な設計変更が可能であることは言うまでもない。
【００３２】
例えば、本実施形態では、ガイド部材として、放射方向に延びる複数のガイド板４７を用いた除湿エレメント１について説明しているが、ガイド部材は、筒状ケース２の除湿用空間７全体を軸Ｌ方向から見たときに、該除湿用空間７内に複数の領域を形成するように配置されていれば他の構成であってもよい。例えば、ガイド部材４７は、除湿用空間７を軸Ｌ方向から見たときに放射状に配置されるように、軸Ｌ方向に沿って螺旋状に内管４の外側壁から立設された棒状の複数のガイドピンであってもよい。この場合は、軸Ｌ方向から見たときに互いに隣接するガイドピンによって形成された複数の領域に、上記複数の中空糸膜３をそれぞれ分配して位置決めされた状態で収容することができ、その結果、除湿用空間７内における中空糸膜３の偏在を抑制することができる。
【００３３】
また、本実施形態では、パージエアを除湿用空間７に対して給排する給気孔３５及び排気孔３６の対が、ガイド板４７によって分けられた各領域毎に開設されているが、除湿用空間７において、各領域間におけるパージエアの流通や、給気孔３５及び排気孔３６からのパージエアーの円滑な給排さえ十分に確保されていれば、これら孔３５，３６の対の数を上記領域の数よりも少なくしたり、これら孔３５，３６の数を互いに異ならせたり等してもよい。
【００３４】
そして、本実施形態では、第１キャップ部材５１に被除湿エアの導入流路５５と乾燥エアの導出流路５６の双方を設けているが、第１キャップ部材５１に導入流路５５及び導出流路５６の何れか一方の流路を設け、第２キャップ部材５２に何れか他方の流路を設けたりしてもよい。その場合、上記除湿エレメント１においては、上記内菅４は省略してもよいし、該内環４の一端を気密に閉塞するなどして、該内菅４をパージ流路５８として利用し、該内環４に上記パージエアの給気孔３５を開設してもよい。また、上記各キャップ部材５１，５２は、上記除湿エレメント１に対して必ずしも着脱可能でなくてもよい。
さらに、上記ガイド部材４７は、除湿用空間７を軸Ｌ方向から見たときに、必ずしも軸Ｌを中心とした放射方向に配されている必要性はなく、例えば格子状に配置されていてもよい。
【符号の説明】
【００３５】
１  除湿エレメント
２  筒状ケース
３  中空糸膜
４  内管
５  第１ポッティング材
６  第２ポッティング材
７  除湿用空間
２１  筒状ケースの第１筒開口部
２２  筒状ケースの第２筒開口部
２３  筒状ケースの第１端部
２４  筒状ケースの第２端部
２３ａ，２４ａ  環状段部
２５ａ，２５ｂ  外環リング
２６ａ  外環リングの環状溝
２６ｂ  外環リングの位置決め溝
３３  中空糸膜の第１端部
３４  中空糸膜の第２端部
３５  パージエアの給気孔
３６  パージエアの排気孔
４１  内菅の第１管開口部
４２  内菅の第２管開口部
４３  内菅の第１端部
４４  内菅の第２端部
４５ａ，４５ｂ  内環リング
４６ａ  内環リングの環状溝
４６ｂ  内環リングの位置決め溝
４７  ガイド板（ガイド部材）
４７ａ  ガイド板の第１端部
４７ｂ  ガイド板の第２端部
４９  隙間
５０  除湿装置
５１  第１キャップ部材
５２  第２キャップ部材
５３  導入ポート
５４  導出ポート
５５  導入流路
５６  導出流路
５８  パージ流路
５９  オリフィス
６０  接続流路
６１  連結ロッド
６２  第１雄ネジ部
６３  第２雄ネジ部
６４  第１雌ネジ部
６５  第２雌ネジ部
６６  締結ボルト
Ｌ  軸
Ｏ  軸方向中央
【図１】
2018075513.tif 000003
【図２】
2018075513.tif 000004
【図３】
2018075513.tif 000005
【図４】
2018075513.tif 000006
【図５】
2018075513.tif 000007
【図６】
2018075513.tif 000008